(57)【要約】【課題】土中に対して差込みが許容される剛性及び強度を確保することができと共に、廃棄及びリサイクルする必要がなく、ゴミの減量化及びコストの低減を図ることができる園芸用ラベルを提供する。【解決手段】園芸用ラベル１を構成するラベル片４，４を重ね合わせるとき、例えば植物の種又はその種が収容された袋等の収容物Ａを、ラベル片４，４間の収容部４ｃ，４ｃ内に収容して相互の対向縁部を密封固定する。園芸用ラベル１の差込み部４ｂ，４ｂを土中Ｂに差込み、表示部４ａに印刷された植物に関する情報を読み取るのに適した状態に差込みセットする。且つ、生分解性プラスチック製の園芸用ラベル１を生分解して、発芽した芽の根が様々な方向に伸びるのを許容する。且つ、例えば肥料や農薬等の収容物Ａが収容部４ｃ，４ｃから流出するのを許容して、植物の生育に必要な養分を補給する。【選択図】　図６
2004049128.tif 000002
【特許請求の範囲】
【請求項１】
植物栽培時において、該植物近傍の土中に対して差込み固定される園芸用ラベルであって、
上記園芸用ラベルを、生分解性プラスチックで形成した略シート状を有するラベル本体の略中央部に、該ラベル本体の両端部に形成した一対のラベル片が互いに重合される方向に対して折り曲げを許容する折り目を付設し、
上記ラベル本体の重合面側と相反する該ラベル本体の片面側に、上記植物に関する情報を表示すると共に、
上記一対のラベル片を、上記折り目に沿って、上記情報が表示されたラベル本体の片面側が外向きとなる方向に折り曲げ可能に設けると共に、該ラベル片の対向面を互いに重ね合わせた状態に固定する固定手段を設けて構成した
園芸用ラベル。
【請求項２】
上記植物に関する情報が表示される表示部を上記ラベル片の上端側に設け、上記土中に対する差込みが許容される差込み部を上記ラベル片の下端側に設けた
請求項１記載の園芸用ラベル。
【請求項３】
上記植物を栽培するときに必要な収容物が収容される収容部を、上記土中に対して差込まれる一対のラベル片の下端側対向面間に設けた
請求項１又は２記載の園芸用ラベル。
【請求項４】
上記収容部を、通気性及び通水性が許容される構造に形成した
請求項３記載の園芸用ラベル。
【請求項５】
上記ラベル本体の一部又は全体を、透光性を有する生分解性プラスチックで形成した
請求項１記載の園芸用ラベル。
【発明の詳細な説明】
【０００１】
【発明の属する技術分野】
この発明は、例えば草花や植木、農作物等の植物を栽培するときに用いられる園芸用ラベルに関する。
【０００２】
【従来の技術】
従来、上述の園芸用ラベルとしては、例えば草花の絵柄や名前、価格等の植物に関する情報が片面に印刷された短冊を、その短冊の中央部に形成した折り目に沿って二つ折り状態に折り重ねた後、短冊の両端を互いに重ね合わせるか、両端を互いに係止して土中に差込み固定する園芸用表示片（特開２０００−１２００７１号公報、実用新案登録第３０６９０７５号公報）がある。
【０００３】
【発明が解決しようとする課題】
しかし、上述の園芸用表示片は、短冊の両端を互いに重ね合わせるか、両端を互いに係止して土中に差込むので、土中に差込むときの抵抗が大きいと、両端の重ね合わせ面が分離したり、両端の係止が解除されてしまうため、両端を同時に差込むことが難しく、土中に差込むのに熟練が必要である。
【０００４】
また、紙製の園芸用表示片を使用する場合、土中に対して差込みが許容されるような剛性及び強度を確保することが難しく、表示片自体の肉厚を厚くすると、差込みにくくなる。
【０００５】
また、プラスチック製及び金属製の園芸用表示片を使用する場合、土中に埋めても腐敗しないため、産業廃棄物として処分するか、リサイクルしなければならず、不要又は古くなった表示片を処分するのに困るだけでなく、取り扱いに手間が掛かるという問題点を有している。
【０００６】
この発明は上記問題に鑑み、生分解性プラスチック製のラベル本体を構成する一対のラベル片を二つ折り状態に重ね合わせて一体的に固定することにより、土中に対して差込みが許容される剛性及び強度を確保することができと共に、廃棄及びリサイクルする必要がなく、ゴミの減量化及びコストの低減を図ることができる園芸用ラベルの提供を目的とする。
【０００７】
【課題を解決するための手段】
この発明は、植物栽培時において、該植物近傍の土中に対して差込み固定される園芸用ラベルであって、上記園芸用ラベルを、生分解性プラスチックで形成した略シート状を有するラベル本体の略中央部に、該ラベル本体の両端部に形成した一対のラベル片が互いに重合される方向に対して折り曲げを許容する折り目を付設し、上記ラベル本体の重合面側と相反する該ラベル本体の片面側に、上記植物に関する情報を表示すると共に、上記一対のラベル片を、上記折り目に沿って、上記情報が表示されたラベル本体の片面側が外向きとなる方向に折り曲げ可能に設けると共に、該ラベル片の対向面を互いに重ね合わせた状態に固定する固定手段を設けて構成した園芸用ラベルであることを特徴とする。
【０００８】
上述の折り目は、例えば折り曲げ罫線やミシン目、略凹状の溝部等で構成することができる。また、ラベル片を重ね合わせた状態に固定する方法は、例えば接着や溶着、粘着する方法と、凹部及び凸部や係止爪及び係止部を互いに係止する方法と、ホックや粘着テープ、止め具（ホッチキス）などの固定部材を用いる方法と、シール用の粘着テープをラベル片の対向周縁部に貼着して固定する方法等の生分解性を有する方法で構成することができる。また、ラベル片に表示される情報は、例えば植物の絵柄や名称、価格、日時、栽培方法、識別情報（バーコード）等で構成することができる。
【０００９】
また、ラベル片間の収容部内に収容される収容物は、例えば植物の種、肥料、農薬、防虫剤、消臭剤等で構成することができる。且つ、固形の収容物はそのまま収容するが、粉状や粒状、液状の収容物は、通気性及び通水性を有する袋体や箱体に入れて収容する。また、生分解を促すような薬剤を、ラベルに含浸又は塗布することもできる。
【００１０】
また、上述の表示部及び差込み部を有する構造であれば、ラベル片を、例えば略横長形状や略縦長形状、略台形状、略四角形状、略三角形状、略多角形状、略半円形状、略円弧形状、略扇形状等の何れか特定の形状又は複数を組み合わせた形状に形成することもできる。
【００１１】
つまり、園芸用ラベルを構成する一対のラベル片を、折り目に沿って二つ折り状態に重ね合わせるとき、例えば植物の種又はその種が収容された袋等の収容物を、ラベル片間の収容部内に収容して相互の対向縁部を一体的に固定する。園芸用ラベルの下端側に形成した収容部を土中に差込み、表示部に印刷された植物に関する情報を読み取るのに適した状態に差込みセットする。且つ、生分解性プラスチック製の園芸用ラベルを土中に含まれる微生物により生分解して、発芽した芽の根が様々な方向に伸びるのを許容する。且つ、例えば肥料や農薬等の収容物が収容部から流出するのを許容して、植物の生育に必要な養分を補給する。
【００１２】
実施の形態として、上記植物に関する情報が表示される表示部を上記ラベル片の上端側に設け、上記土中に対する差込みが許容される差込み部を上記ラベル片の下端側に設けることができる。また、上記植物を栽培するときに必要な収容物が収容される収容部を、上記土中に対して差込まれる一対のラベル片の下端側対向面間に設けることができる。また、上記収容部を、通気性及び通水性が許容される構造（例えば孔部やネット、不織布等）に形成することができる。また、上記ラベル本体の一部（例えばラベル片や収容部等）又は全体を、透光性を有する生分解性プラスチックで形成（例えば透明又は半透明）することができる。
【００１３】
【作用及び効果】
この発明によれば、生分解性プラスチックで形成した略シート状のラベル本体を二つ折り状態に重ね合わせて一体的に固定するので、紙製や樹脂製のシートを複数枚重ね合わせるような作業及び工程が省け、土中に対して差込みが許容される剛性及び強度を確保することができる。且つ、植物に関する情報を、略シート状を有するラベル本体の片面側に一括表示するので、表裏別々に印刷するよりも安価に製作することができ、製造コストの低減を図ることができる。
【００１４】
且つ、生分解性プラスチック製の園芸用ラベルは、土中に含まれる微生物により分解されるため、廃棄及びリサイクルする必要がなく、ゴミの減量化及びコストの低減を図ることができる。
【００１５】
【実施例】
この発明の一実施例を以下図面に基づいて詳述する。
図面は、植物の一例である草花（又はフラワー）を栽培するときに用いられる生分解性プラスチック製の園芸用ラベル（又はフラワーラベル）を示し、図１、図２、図３に於いて、この園芸用ラベル１は、生分解性プラスチックで形成した略シート状を有するラベル本体２の略中央部に、ラベル本体２の両端部に形成した一対のラベル片４が互いに重合される方向に対して二つ折り状態に折り曲げを許容する略凹状の折り曲げ罫線３を幅方向に形成し、その折り曲げ罫線３を中心として、略対称形状に形成された一対のラベル片４を互いに重合される方向に対して二つ折り可能に連設している。
【００１６】
上述の折り曲げ罫線３は、例えば所定角度で傾斜し相互に対峙する一対の側面部と、その側面部の一端側と連続する幅狭の底面部とからなり、略同一及び又は異なる深さの溝部を組み合わせて、折り曲げ罫線３の底面部に沿って長手方向に対して複数形成している。
【００１７】
前述のラベル片４，４は、正面から見て略横長形状を有するラベル片４の上端側表示部４ａを、例えば植物の絵柄や名称、価格、日時、栽培方法、識別情報バーコード（識別情報）等の植物に関する情報が印刷可能な大きさ及び形状に形成している。一方、ラベル片４の下端側差込み部４ｂを、差込み方向に対して徐々に先細となる形状に形成すると共に、土中Ｂに対する差込みが許容される厚み及び構造、剛性に形成している。また、差込み部４ｂを平面から見て略Ｖ字状に折り曲げ形成するか、その部分の肉厚を厚くする等して、差込みに必要な強度及び剛性を確保することもできる。
【００１８】
且つ、生分解性プラスチックシートを、図１に示すような大きさ及び形状に分離する前又は分離した後、折り曲げ罫線３を境界にして、例えば植物の絵柄や名称、価格、バーコード（識別情報）等を表側ラベル片４の表示部４ａ（外面側）に印刷し、栽培方法や日時等のその他の情報を裏側ラベル片４の表示部４ａ（外面側）に印刷している。また、植物に関する情報が印刷されたシールや紙をラベル片４に貼着するか、植物に関する情報をラベル片４に刻設するか、略同一又は異なる情報をラベル片４にそれぞれ付設してもよい。
【００１９】
且つ、植物の種或は肥料や農薬等の収容物Ａが収容される略凹状の収容部４ｃを、表裏ラベル片４の下端側対向面にそれぞれ形成している。つまり、ラベル片４，４の下端側対向縁部を、例えば接着剤により一体的に接着固定して略気密状態及び略水密状態に密封するとき、例えば植物の種又はその種が収容された袋等の収容物Ａを、ラベル片４，４の下端側対向面間に形成される収容部４ｃ，４ｃ内に所定量収容する。また、収容物Ａが収容された収容部４ｃ，４ｃの対向周縁部を接着固定して密封（シール）するもよく、ラベル片４，４の対向縁部全長又は対向面全体を接着固定することもできる。
【００２０】
図示実施例は上記の如く構成するものにして、以下、園芸用ラベル１の取り扱い方を説明する。
【００２１】
先ず、図３、図４、図５にも示すように、園芸用ラベル１を構成するラベル片４，４を、略凹状の折り曲げ罫線３に沿って、ラベル片４の表示部４ａが外向きとなる方向に折り曲げて二つ折り状態に重ね合わせるとき、例えば植物の種又はその種が収容された袋等の収容物Ａを、ラベル片４，４間の収容部４ｃ，４ｃ内に収容して、ラベル片４，４の下端側対向縁部又は収容部４ｃ，４ｃの対向周縁部を一体的に接着固定して密封する。また、植物の種を収容部４ｃ，４ｃ内に対して直接収容することもできる。
【００２２】
次に、図６に示すように、ラベル片４，４の差込み部４ｂ，４ｂを、例えば鉢や花壇、畑等の土中Ｂに対して重ね合わせたまま略垂直又は略斜めに差し込むと共に、そのラベル片４の表示部４ａを、土中Ｂよりも上方に突出及び露出した状態に差込みセットする。且つ、園芸用ラベル１全体を、ラベル片４の表示部４ａに印刷された植物に関する情報を読み取るのに適した向き及び角度に設定する。また、収容物Ａが収容された収容部４ｃの一部を、例えば切れ目やミシン目等の切取り線に沿って手で切り裂くか、カッターやハサミ等の切断具で切断するか、切れ目や切り欠き、孔部を付ける等して、予め開放しておいてもよい。
【００２３】
次に、発芽時期が到来するまでに、生分解性プラスチック製の園芸用ラベル１及び収容部４ｃを土中Ｂに含まれる微生物により分解して、発芽した芽の根を収容部４ｃの外側に突出して様々な方向に伸ばさせるので、根付きやすく、植物を栽培する作業が容易に行える。
【００２４】
且つ、植物の種を収容部４ｃ，４ｃ内に収容したまま発芽させるので、種の播種深さや播種位置が変位したり、飛散したりするの防止することができる。且つ、発芽した芽を収容部４ｃ，４ｃから取り出したり、その芽や植物を植え替えたりする手間及び作業が省け、植物栽培時の作業及び工程を少なくすることができる。
【００２５】
且つ、例えば肥料や農薬等の収容物Ａが収容部４ｃ，４ｃ内に収容された園芸用ラベル１を、播種した種及び発芽した芽等の植物近傍の土中Ｂに差し込むと共に、その収容部４ｃ，４ｃを土中Ｂに含まれる微生物により分解して、肥料や農薬等を収容部４ｃ，４ｃから流出させるので、周囲の土中Ｂに対して肥料や農薬が浸透しやすく、播種した種及び発芽した芽、植物の生育に必要な養分を確実に補給することができる。また、その園芸用ラベル１を定期的に差し替えるだけで、肥料や農薬等を定量供給することができ、供給量に過不足が生じにくく、供給作業が簡単且つ容易に行える。
【００２６】
以上のように、園芸用ラベル１を構成するラベル本体２のラベル片４，４を、略凹状の折り曲げ罫線３に沿って、ラベル片４の表示部４ａが外向きとなる方向及び二つ折り状態に重ね合わせて一体的に接着固定するので、紙製や樹脂製のシートを複数枚重ね合わせるような作業及び工程が省け、土中Ｂに対して差込みが許容される剛性及び強度を確保することができる。且つ、植物に関する情報を、略シート状に展開されたラベル本体２の片面側に一括印刷するので、その情報を表裏別々に印刷するよりも安価に製作することができ、製造コストの低減を図ることができる。
【００２７】
且つ、生分解性プラスチック製の園芸用ラベル１は、土中Ｂに含まれる微生物により分解されるため、廃棄及びリサイクルする必要がなく、ゴミの減量化及びコストの低減を図ることができる。
【００２８】
且つ、植物の種や肥料、農薬等の収容物Ａが収容されたラベル片４の収容部４ｃを土中Ｂに差し込むので、種の播種深さや播種位置が変位したり、飛散したりするの防止することができる。且つ、園芸用ラベル１の分解により、収容部４ｃ，４ｃに収容された肥料や農薬等が土中Ｂに流出するため、植物の生育に必要な養分を確実に供給することができ、植物の栽培が容易に行える。
【００２９】
図７、図８、図９、図１０は、通気性及び通水性を有する孔部４ｄを収容部４ｃ外面に対して所定間隔に隔てて複数形成した園芸用ラベル１の他の例を示し、例えば植物の種又はその種が収容された袋等の収容物Ａを、ラベル片４，４の下端側対向面間に形成される収容部４ｃ，４ｃ内に収容しておくので、発芽時期が到来したとき、種から伸びた毛根が収容部４ｃの孔部４ｄ…から外側に突出して様々な方向に伸びていくため、根付きやすく、植物を栽培する作業が容易に行える。且つ、例えば肥料や農薬等の収容物Ａを収容部４ｃ，４ｃ内に収容しておくと、肥料や農薬等が収容部４ｃの孔部４ｄ…から自然に流出するため、上述の実施例と略同等の作用及び効果を奏することができる。また、収容部４ｃ外面を、例えば通気性及び通水性を有するネットで形成するか、不織布で形成する等してもよい。
【００３０】
図１１は、透光性を有する生分解性プラスチックにより透明又は半透明に形成した園芸用ラベル１の他の例を示し、園芸用ラベル１を構成するラベル片４，４の収容部４ｃ，４ｃ内に収容物Ｂが収容されているか、その収容物Ｂが何であるか、収容量等を外側から目視確認することができ、収容部４ｃ，４ｃを開放したり、収容物Ｂを取り出したりする必要がなく、植物栽培時の作業及び工程を少なくすることができる。且つ、上述の実施例と略同等の作用及び効果を奏することができる。
【図面の簡単な説明】
【図１】植物に関する情報が印刷された園芸用ラベルを示す表裏展開図。
【図２】園芸用ラベルの重合面側を示す展開図。
【図３】収容物の収容方法及びラベル片の重ね合わせ方法を示す斜視図。
【図４】収容物の収容方法及びラベル片の重ね合わせ方法を示す縦断側面図。
【図５】収容物を収容部に収容した状態を示す縦断側面図。
【図６】園芸用ラベルを土中に差し込んだ状態を示す縦断側面図。
【図７】孔部が収容部に形成された園芸用ラベルを示す表裏展開図
【図８】孔付き収容部を有するラベル片の重ね合わせ方法を示す斜視図。
【図９】孔付き収容部を有するラベル片の重ね合わせ方法を示す縦断側面図。
【図１０】収容物を孔付き収容部に収容した状態を示す縦断側面図。
【図１１】透光性を有する園芸用ラベルを示す縦断側面図。
【符号の説明】
Ａ…収容物
Ｂ…土中
１…園芸用ラベル
２…ラベル本体
３…折り曲げ罫線
４…ラベル片
４ａ…表示部
４ｂ…差込み部
４ｃ…収容部
４ｄ…孔部
【図１】
2004049128.tif 000003
【図２】
2004049128.tif 000004
【図３】
2004049128.tif 000005
【図４】
2004049128.tif 000006
【図５】
2004049128.tif 000007
【図６】
2004049128.tif 000008
【図７】
2004049128.tif 000009
【図８】
2004049128.tif 000010
【図９】
2004049128.tif 000011
【図１０】
2004049128.tif 000012
【図１１】
2004049128.tif 000013